(57)【特許請求の範囲】
【請求項１】
車両のフロアに前後方向に延びるように敷設された幅方向一対のロアレールと、このロアレールに案内されつつ前後動するシート装着用のアッパーレールとが備えられ、上記ロアレール内には前後方向に延びるねじ孔を備えたナット部材が固定されている一方、上記アッパーレールには上記ナット部材のねじ孔に螺合する前後方向に延びたスクリュー軸と、このスクリュー軸を回転する駆動モータとが取り付けられ、この駆動モータと上記スクリュウー軸との間に介設される車両用シートの減速装置の取付け構造であって、上記減速装置は、上記駆動モータの駆動軸と同心で軸心回りに一体回転するウォームと、このウォームに噛合し、かつ、上記スクリュー軸と同心で軸心回りに一体回転するウォームホイールと、これらウォームおよびウォームホイールを軸支した状態で収納する、アッパーレールに取り付けられたケーシングとから構成され、上記ウォームホイールと上記スクリュー軸とは、同心でかつ軸心回りに共回り可能な連結軸によって接続され、上記ケーシングは、上記スクリュー軸を通す大径孔と、スクリュー軸を通さずに上記連結軸を通す小径孔とを有し、この小径孔と上記大径孔とは、一方の孔から他方の孔への連結軸の移動が可能なように連なって穿設され、上記ウォームホイールは、上記小径孔を通過しない金属製の小径部と、この小径部を一体に囲繞した合成樹脂製の大径部とからなっていることを特徴とする車両用シートの減速装置の取付け構造。
【発明の詳細な説明】
【０００１】
【発明の属する技術分野】
本発明は、車両用のシートを駆動モータの駆動によって前後動させる、いわゆるパワーシートにおいて、駆動モータとシートとの間に介設される車両用シートの減速装置の取付け構造に関するものである。
【０００２】
【従来の技術】
従来、図６に示すような車両用のシートに適用される減速装置の取付け構造が知られている。この図に示すように、車両用のシートＳは、フロアＦに敷設されたスライドレール１００に前後動可能に取り付けられている。このスライドレール１００は、フロアＦに固定された断面視でＵ字形状のロアレール１０１と、このロアレール１０１に摺接状態で内嵌されるアッパーレール１０２とからなっており、シートＳはアッパーレール１０２に固定されることによって前後動可能になっている。
【０００３】
ロアレール１０１の底板には前後方向に延びるねじ孔を備えたナット部材１０３が固定されている一方、アッパーレール１０２には前端部に前方に向かって突出したブラケット１０７が設けられ、このブラケット１０７の下面部に減速装置１０４が取り付けられている。そして、この減速装置１０４から後方に向けてアッパーレール１０２内に延設されたスクリュー軸１０５が設けられている。このスクリュー軸１０５は上記ナット部材１０３に螺合されている。
【０００４】
また、減速装置１０４の一側部には駆動モータ１０６が取り付けられている。この駆動モータ１０６の駆動軸は、減速装置１０４のケーシング内に引き入れられ、所定の歯車機構からなる減速機構を介してその駆動回転が上記スクリュー軸１０５に伝達されるようになっている。
【０００５】
従って、駆動モータ１０６の正逆駆動によって駆動力が駆動軸および減速装置１０４のケーシング内の減速機構を介してスクリュー軸１０５に伝えられ、スクリュー軸１０５は所定の減速比で減速されて正逆回転し、この正逆回転によってナット部材１０３に螺合しているスクリュー軸１０５は前後動し、これによるアッパーレール１０２の前後動でシートＳが進退するようになっている。
【０００６】
上記減速装置１０４は、図７（図６の要部の側面視の断面図）に示すように、駆動モータ１０６の駆動軸に同心で共回り可能に接続されたウォーム１０８と、このウォーム１０８に噛合し、かつ、上記スクリュー軸１０５と同心で一体のウォームホイール１０９と、これらウォーム１０８およびウォームホイール１０９を収納するケーシング１１０とから構成されている。ウォームホイール１０９は、スクリュー軸１０５より若干大きめに径寸法が設定されている。
【０００７】
かかるケーシング１１０は、前後に金属製の挟持板１１１を有し、ケーシング１１０は、これら一対の挟持板１１１により挟持された状態でウォーム１０８およびウォームホイール１０９を内装するようになっている。
【０００８】
【発明が解決しようとする課題】
ところで、従来の減速装置１０４にあっては、図７の（イ）に示すように、組付け作業の都合上、後部（図７の右方）の挟持板１１１には、スクリュー軸１０５より若干径寸法の大きい装着孔１１２が穿設され、前方の挟持板１１１の装着前にスクリュー軸１０５を後端部からこの装着孔１１２に挿通することによって上記ケーシング１１０内にウォームホイール１０９が装着されるようになされている。
【０００９】
しかしながら、このような減速装置１０４の構造においては、車両の衝突等によってシートＳを介してアッパーレール１０２に前方に向かう大荷重が加わった場合、図７の（ロ）に示すように、合成樹脂製のウォームホイール１０９が破壊された状態でスクリュー軸１０５が減速装置１０４に対して後方に相対移動し、これによってシートＳが前方に投げ出される恐れがあるという問題点を有している。
【００１０】
本発明は、上記のような問題点を解決するためになされたものであり、車両の衝突等の緊急時にその衝撃でシートが前方に投げ出されるのを確実に防止することが可能な車両用シートの減速装置の取付け構造を提供することを目的としている。
【００１１】
【課題を解決するための手段】
本発明の請求項１記載の車両用シートの減速装置の取付け構造は、車両のフロアに前後方向に延びるように敷設された幅方向一対のロアレールと、このロアレールに案内されつつ前後動するシート装着用のアッパーレールとが備えられ、上記ロアレール内には前後方向に延びるねじ孔を備えたナット部材が固定されている一方、上記アッパーレールには上記ナット部材のねじ孔に螺合する前後方向に延びたスクリュー軸と、このスクリュー軸を回転する駆動モータとが取り付けられ、この駆動モータと上記スクリュウー軸との間に介設される車両用シートの減速装置の取付け構造であって、上記減速装置は、上記駆動モータの駆動軸と同心で軸心回りに一体回転するウォームと、このウォームに噛合し、かつ、上記スクリュー軸と同心で軸心回りに一体回転するウォームホイールと、これらウォームおよびウォームホイールを軸支した状態で収納する、アッパーレールに取り付けられたケーシングとから構成され、上記ウォームホイールと上記スクリュー軸とは、同心でかつ軸心回りに共回り可能な連結軸によって接続され、上記ケーシングは、上記スクリュー軸を通す大径孔と、スクリュー軸を通さずに上記連結軸を通す小径孔とを有し、この小径孔と上記大径孔とは、一方の孔から他方の孔への連結軸の移動が可能なように連なって穿設され、上記ウォームホイールは、上記小径孔を通過しない金属製の小径部と、この小径部を一体に囲繞した合成樹脂製の大径部とからなっていることを特徴とするものである。
【００１２】
この車両用シートの減速装置の取付け構造によれば、駆動モータの正逆駆動による駆動軸の正逆回転は、減速装置のウォームを介して所定の減速比でウォームホイールに伝達され、このウォームホイールの減速回転によるスクリュー軸の正逆回転によってナット部材に螺合しているスクリュー軸は前後動するため、この前後動によってケーシングを介してアッパーレールが前後動し、このアッパーレールの前後動によってシートが進退する。
【００１３】
そして、減速装置の組付け時には、スクリュウ軸に大径孔を潜らせてウォームホイールをケーシング内に装着した後、ケーシングを移動させて連結軸を小径孔に嵌め込んで減速装置を組付けるむことにより、減速装置が組付けられると、連結軸が小径孔に嵌入された状態になる。従って、車両の衝突等によるシートの前方への突出によりアッパーレールを介してケーシングがウォームホイールを過大な力で押圧しても、小径孔の縁部がウォームホイールの金属製の小径部に干渉し、これによってケーシングの前方への移動が規制されるため、シートが前方に投げ出されるという不都合が解消される。
【００１４】
【発明の実施の形態】
図１は、本発明に係る減速装置の取付け構造が適用された車両用シートの一実施形態を示す一部切欠き部分斜視図である。なお、図１において、Ｘ−Ｘ方向を幅方向、Ｙ−Ｙ方向を前後方向といい、特に−Ｘ方向を左方、＋Ｘ方向を右方、−Ｙ方向を前方、＋Ｙ方向を後方という。この図に示すように、車両のフロアＦ上には、幅方向一対のスライドレール１が敷設されている。因に、図１では図示の都合上一方のスライドレール１のみを示している。スライドレール１は、フロアＦに固定されたロアレール１１と、このロアレール１１に前後動可能に結合されたアッパーレール１２とからなる基本構成を有している。そして、アッパーレール１２の上部にシートＳが固定されている。
【００１５】
ロアレール１１は、断面視でＵ字形状を呈し、前後方向に延びる底板１３と、この底板１３の両側部から上方にむけて折り曲げられた形成した幅方向一対の側板１４とからなっている。底板１３の底部には、前後端一対の取付け座１５がボルト止めでフロアＦに固定されることによりロアレール１１がフロアＦに装着された状態になっている。
【００１６】
アッパーレール１２は、断面視で逆Ｕ字形状を呈し、前後方向に延びる天板１６と、この天板１６の両側部から下方に向けて折り曲げられて形成した幅方向一対の側板１７とからなっている。アッパーレール１２の側板１７の上下寸法は、上記ロアレール１１の側板１４の上下寸法より若干大きめに寸法設定されているとともに、アッパーレール１２の側板１７間の外寸法は、上記ロアレール１１の側板１４間の内寸法より若干小さく寸法設定され、これによってアッパーレール１２はロアレール１１に嵌め込まれた状態で摺接しながら前後動し得るようになっている。
【００１７】
また、ロアレール１１は、一対の側板１４の上縁部に互いに対向した方向に突出した前後方向に延びる幅方向一対の上部係止突条１４ａを有している一方、アッパーレール１２は、一対の側板１７の下縁部に外方に向かって突出した幅方向一対の下部係止突条１７ａを有しており、アッパーレール１２をロアレール１１の底板１３間に嵌め込んだ状態で、上部係止突条１４ａと下部係止突条１７ａとが上下方向に対して相互に係止された状態になり、これによってアッパーレール１２は、ロアレール１１に案内されつつ前後動しながら側板１７から外れ止めされた状態になるようにしている。
【００１８】
そして、アッパーレール１２の前端部に、減速装置２が取り付けられているとともに、この減速装置に駆動モータ３が取り付けられている。また、ロアレール１１の底板１３には、前後方向の略中央部分にねじ孔１８ａが前後方向に延びるように方向設定されたナット部材１８が固定されている。そして、減速装置２の後部には後方に延びるようにスクリュー軸４が接続されている。このスクリュー軸４は、上記ナット部材１８に螺合され、これによってスクリュー軸４は、軸心回りに正逆回転することによって前後動し、このスクリュー軸４の前後動によって減速装置２およびアッパーレール１２を介してシートＳが進退するようになっている。
【００１９】
図２は、減速装置２の一実施形態を示す分解斜視図であり、図３はその組立て斜視図である。また、図４は図３のＡ−Ａ線断面図であり、図５は同Ｂ−Ｂ線断面図である。なお、図２および図３において、Ｘ−Ｘ方向を幅方向、Ｙ−Ｙ方向を前後方向といい、特に−Ｘ方向を左方、＋Ｘ方向を右方、−Ｙ方向を前方、＋Ｙ方向を後方という。これらの図に示すように、減速装置２は、箱型のケーシング２１と、このケーシング２１に内装されるウォーム２２と、同ウォームホイール２３と、ケーシング２１に着脱自在に装着される板ばね５と、ウォーム２２およびウォームホイール２３を内装した状態でケーシング２１を挟持する前後方向一対の挟持部材６とを備えた基本構成を有している。
【００２０】
上記ケーシング２１は、外観視で直方体状を呈したケーシング本体２１ａと、このケーシング本体２１ａの下部に幅方向に貫通して一体に設けられた、ウォーム２２を装着するためのウォーム装着筒２１ｂと、上部で前後方向に延びるように穿設された、ウォームホイール２３を装着するための円形のホイール装着孔２１ｃと、上記ケーシング本体２１ａの左端部に前後方向に向けて突設された、駆動モータ３支持するための前後方向一対の第１ブラケット２１ｄを有している。
【００２１】
第１ブラケット２１ｄにはボルトＢを通す挿通孔２１１ｄが穿設されている一方、上記駆動モータ３には挿通孔２１１ｄに対応した部分にボルトＢを螺着するボルト孔３３が螺設され、ボルトＢを挿通孔２１１ｄに挿通してボルト孔３３に螺着することにより、上記駆動モータ３が減速装置２に取り付けられるようになっている。
【００２２】
上記ホイール装着孔２１ｃの前後端の周縁部分には、径寸法がホイール装着孔２１ｃの径寸法より若干大きい段差孔２１１ｃが設けられている。また、上記ウォーム装着筒２１ｂは、ケーシング本体２１ａ内の部分がケーシング本体２１ａに埋設されて混同した状態になっている。
【００２３】
かかるウォーム装着筒２１ｂには、ウォーム２２を装着するための幅方向に延びたウォーム装着孔２１ｅが設けられている。このウォーム装着孔２１ｅは、図４に示すように、右端面から左方に向けて延びる大径孔２１ｆと、この大径孔２１ｆの左側に設けられた小径孔２１ｇと、さらにこの小径孔２１ｇの左側に設けられた中径孔２１ｈとからなっている。
【００２４】
上記大径孔２１ｆは、ウォーム２２の外径より僅かに大きな内径に寸法設定されている。かかる大径孔２１ｆには、外径寸法が僅かに小さい合成樹脂製のブッシュ２４が突き当たりまで差し込まれた状態でウォーム２２が嵌装されている。ウォーム２２は、ブッシュ２４に当止することによって大径孔２１ｆ内の左方位置での位置決めが行われるようになっている。
【００２５】
そして、上記大径孔２１ｆは、中央部分が上記ホイール装着孔２１ｃに連通するように穿設位置が設定され、これによってホイール装着孔２１ｃにウォームホイール２３を装着した状態で、ウォームホイール２３がウォーム２２に噛合するようになっている。
【００２６】
上記ホイール装着孔２１ｃは、内径寸法が、ウォームホイール２３の外径寸法よりも僅かに大きく設定され、これによってウォームホイール２３をホイール装着孔２１ｃの内周面と離間状態でホイール装着孔２１ｃに遊嵌し得るようになっている。
【００２７】
上記ウォーム２２は、外周面に螺旋条の形成されたギヤ本体２２ａと、このギヤ本体２２ａの右端面から同心で右方に向けて突設された先端軸２２ｂと、同左端面から同心で左方に向けて突設された基端軸２２ｃとからなっている。上記先端軸２２ｂの先端面は半球状に形成されている。この半球状の部分がウォーム装着筒２１ｂに装着された板ばね５に当接されるようにしている。
【００２８】
また、上記基端軸２２ｃは、端面から軸方向に向かって穿設された角孔２２ｄを有している一方、上記駆動モータ３の駆動軸３１の先端側が上記角孔２２ｄに対応した角柱３２に形成され、この角柱３２が角孔２２ｄに嵌入されることによって駆動軸３１とウォーム２２とが軸心回りに共回り可能に結合されるようになっている。
【００２９】
また、先端軸２２ｂにはポリテトラフルオロエチレンのような強靱な合成樹脂からなる軸受輪２５が摺接状態で外嵌されている。この軸受輪２５は、外径寸法が大径孔２１ｆのそれより僅かに小さく寸法設定されている。
【００３０】
上記ウォームホイール２３は、合成樹脂製の環状のホイール本体（大径部）２３ａと、このホイール本体２３ａの軸心部分に軸心回りに共回り可能に内装される金属製の芯歯車（小径部）２３ｂとからなっている。ホイール本体２３ａの外径寸法は、上記ホイール装着孔２１ｃの内径寸法より若干小さく寸法設定されている。かかるホイール本体２３ａの外周面には、上記ウォーム２２に噛合する外歯２３ｃが設けられている。また、ホイール本体２３ａの内周面には内スプライン２３ｄが刻まれている一方、上記芯歯車２３ｂの外周面には上記内スプライン２３ｄに噛合する外スプライン２３ｅが形成されている。かかるウォームホイール２３は、所定の金型内の中心部分に芯歯車２３ｂを装填した後、キャビティ内に溶融した熱可塑性合成樹脂を射出する、いわゆる一体成形法によって製造されている。
【００３１】
また、芯歯車２３ｂは、軸心部分で前後方向に向けて所定寸法だけ突出した軸筒２３ｆを有している一方、上記スクリュー軸４の前端部には同心で前方に向けて突設されたねじ軸（連結軸）４１が設けられ、このねじ軸４１が軸筒２３ｆに螺着嵌入された状態で、図３に示すように、袋ナットＮ２が螺着締結されることにより、ウォームホイール２３がスクリュー軸４に一体に固定されるようになっている。また、軸筒２３ｆの外周面には、ホイール本体２３ａと一体の合成樹脂製のブッシュ２３ｇが上記一体成形時に形成されている。
【００３２】
上記前方挟持部材６０の中央部より上方位置には、上記袋ナットＮ２の先端部が支持される軸受凹部６１ａが設けられているとともに、上記後方挟持部材６１の中央部より上方位置には、ねじ軸４１よりも若干大きい径寸法を有する遊嵌孔（小径孔）６２が穿設されている。そして、本実施形態においては、後方挟持部材６１には、遊嵌孔６２の下部にスクリュー軸４を挿通し得るように径寸法の設定されたスクリュー軸挿通孔６６が穿設されている。
【００３３】
このスクリュー軸挿通孔６６は、遊嵌孔６２を二分するように遊嵌孔６２に重ねられた状態で穿設され、このホイール挿通孔（大径孔）６６と上記遊嵌孔６２とで後方挟持部材６１の中央部にダルマ孔が形成された状態になっている。このダルマ孔によって、図２に矢印で示すように、まずスクリュー軸４の後端部をホイール挿通孔６６にに通し、ついで後方挟持部材６１を下方に降ろすことにより、ウォームホイール２３を後方挟持部材６１の前方側に位置させた状態でねじ軸４１の基端側（後方側）が遊嵌孔６２に嵌まり込むようになっている。
【００３４】
このような挟持部材６（前方挟持部材６０および後方挟持部材６１）の四隅部には長尺ビスＢ１を挿通するビス孔６３が穿設されている一方、上記ケーシング本体２１ａの四隅部には、上記ビス孔６３に対応した長尺ビス孔２１ｉが穿設されている。そして、ねじ軸４１がスクリュー軸挿通孔６６に挿通された後方挟持部材６１と、上記前方挟持部材６０とでケーシング本体２１ａを挟持し、上記各ビス孔６３，２１ｉに長尺ビスＢ１をそれぞれ挿通してナットで締結することによりウォームホイール２３がホイール装着孔２１ｃに内装されるようになっている。
【００３５】
そして、ケーシング２１のウォーム装着筒２１ｂに、上下で互いに対向した前後方向に延びる長孔状の一対の板ばね装着孔２１ｊが穿設されている。これら一対の装着孔２１ｊに上記板ばね５が装着される。
【００３６】
板ばね５は、円弧状に湾曲された板ばね本体５１と、この板ばね本体５１の上縁部が略直角に折り曲げられて形成した抜止め部５２と、上記板ばね本体５１の下部の一方の側縁部に突設された下細りの抜止め爪片５３と、この抜止め爪片５３の反対側の縁部に上方に向かって折り返されるように突設されたひげ突起５４とを備えて構成されている。
【００３７】
上記板ばね本体５１は、幅寸法（図２においては前後幅寸法）が装着孔２１ｊの前後寸法よりも小さく寸法設定されているとともに、抜止め部５２の基端部と抜止め爪片５３の上端部との間の長さ寸法（上下寸法）が、上下の装着孔２１ｊ間の外寸法と略同一に寸法設定され、これによって板ばね５を上部の装着孔２１ｊから下部の装着孔２１ｊに向けて差し込むことにより、抜止め部５２がウォーム装着筒２１ｂの外周面に当接するとともに、ひげ突起５４が弾性変形した状態で抜止め爪片５３が下部の装着孔２１ｊを貫通し、これによって板ばね５がウォーム装着筒２１ｂに装着された状態になるようにしている。
【００３８】
そして、板ばね５がウォーム装着筒２１ｂに装着された状態では、弾性変形したひげ突起５４の付勢力によって板ばね本体５１の抜止め爪片５３側の端縁が装着孔２１ｊの縁部に押圧当接され、これによって抜止め爪片５３の上縁部が装着孔２１ｊの縁部に係止された状態になり、板ばね５の装着孔２１ｊからの脱落が確実に防止されるようになっている。そして、かかる板ばね５は、ウォーム２２がウォーム装着筒２１ｂ内に装着され状態で、ウォーム２２の先端軸２２ｂの半球状の先端部が板ばね本体５１に当接するように曲率半径が設定されている。
【００３９】
そして、上記後方挟持部材６１には、幅方向両縁部から後方に向かって折り曲げられて形成した幅方向一対の第２ブラケット６４が設けられている。この第２ブラケット６４は、後方挟持部材６１の上下方向の略中央位置から若干後上がりに形成され、後方端が円弧状に形成されている。各円弧部分の曲率中心位置に接続孔６４ａがそれぞれ穿設されている一方、上記アッパーレール１２の各側板１７には、上記各接続孔６４ａにそれぞれ対応した被接続孔１７ｂが穿設されている。そして、各第２ブラケット６４を側板１７間に嵌め込んだ状態で左右の接続孔６４ａおよび被接続孔１７ｂにそれぞれ支持軸６５が差し通され、かしめ止めされることによって後方挟持部材６１が支持軸６５回りに回動自在にアッパーレール１２に接続されるようになっている。
【００４０】
また、被接続孔１７ｂは、上下位置が前後方向に延びるスクリュー軸４の軸心と同一高さレベルになるように穿設位置が設定されているとともに、接続孔６４ａの高さレベルは、後方挟持部材６１の遊嵌孔６２の中心の高さレベルと同一になるように高さ設定され、これによってスクリュー軸４の軸心上に支持軸６５が位置するようになっている。
【００４１】
本発明の減速装置の取付け構造によれば、減速装置２をスクリュー軸４に装着するに際し、図２に矢印で示すように、まず、スクリュー軸４をホイール挿通孔６６に挿通し、ねじ軸４１の後端部がホイール挿通孔６６に位置した状態で後方挟持部材６１を下降させてねじ軸４１の基端側に遊嵌孔６２を外嵌させる。この状態で後方挟持部材６１の各ビス孔６３に長尺ビスＢ１を挿通して前方に突出させ、これら長尺ビスＢ１にケーシング２１の各長尺ビス孔２１ｉを外嵌することによって後方挟持部材６１がケーシング２１の後面側に装着される。
【００４２】
ついで、軸筒２３ｆの先端の袋ナットＮ２を軸受凹部６１ａに嵌め込むようにして前方挟持部材６０をケーシング本体２１ａの前面に積層した状態で、長尺ビス孔２１ｉに通した各長尺ビスＢ１を前方挟持部材６０のビス孔６３に挿通し、ナットで締結することにより、スクリュー軸４のウォームホイール２３がケーシング２１内に装着された状態になる。
【００４３】
この状態でウォーム２２をウォームギヤ装着孔２１ｅ内に装着するとともに駆動モータ３を第１ブラケット２１ｄにボルト止めで固定することにより、第２ブラケット６４の接続孔６４ａとアッパーレール１２の被接続孔１７ｂとに支持軸６５を挿通してかしめることにより、図３に示すように、減速装置２がアッパーレール１２に取り付けられた状態になる。
【００４４】
そして、駆動モータ３の正逆駆動によって、駆動軸３１、この駆動軸３１と一体のウォーム２２、およびこのウォーム２２と噛合したウォームホイール２３を回転させることにより、ウォームホイール２３と一体でかつナット部材１８に噛合したスクリュー軸４が正逆回転し、この正逆回転によってスクリュー軸４は前後動し、このスクリュー軸４の前後動によってアッパーレール１２が減速装置２を介して前後方向に水平に進退するが、この進退時にスクリュー軸４からの押圧力あるいは牽引力は、スクリュー軸４の軸心と同一高さレベルに存在する支持軸６５を介して減速装置２に伝達されるため、支持軸６５を支持している第２ブラケット６４には、上記押圧力あるいは牽引力に起因したモーメントが作用しない。従って、第２ブラケット６４には、モーメントに起因した曲げ応力が発生せず、曲げ応力に対応するために減速装置２とアッパーレール１２との結合部分を頑丈にしなければならないという従来の問題点が解消され、部品の軽量化、引いては部品コストの低減化に寄与することが可能になる。
【００４５】
また、減速装置２に対してスクリュー軸４が心狂いしていても、減速装置２の支持軸６５回りの回動による姿勢変更で上記心狂いが吸収されるため、従来のように減速装置２とスクリュー軸４との相対位置設定を厳密に調整しなければならず、これによって組付け効率が低下するという従来の問題点が解消され、組付け効率の向上によって組付けコストを低減化を図ることができる。
【００４６】
そして、車両の衝突等によってアッパーレール１２に前方に向かう大きな荷重が加わり、これによって後方挟持部材６１が前方に移動しようとしても、軸筒２３ｆの後端面が遊嵌孔６２の周縁部と干渉して後方挟持部材６１の前進が阻止されるため、アッパーレール１２の前進が規制され、これによって車両の衝突時にその衝撃でシートＳが前方に移動するという不都合が起こらない。
【００４７】
【発明の効果】
本発明の請求項１記載の車両用シートの減速装置の取付け構造によれば、駆動モータと車両のシートを進退させるスクリュー軸との間に介設される減速装置を、駆動モータの駆動軸と同心で軸心回りに一体回転するウォームと、このウォームに噛合し、かつ、スクリュー軸と同心で軸心回りに一体回転するウォームホイールと、これらウォームおよびウォームホイールを軸支した状態で収納する、アッパーレールに取り付けられたケーシングとから構成し、ウォームホイールとスクリュー軸とを同心でかつ軸心回りに共回り可能な連結軸によって接続し、ケーシングにはスクリュー軸を通す大径孔と、連結軸を通すがスクリュー軸を通さない小径孔とを設け、小径孔と大径孔とは、一方の孔から他方の孔への連結軸の移動が可能なように連ねたため、減速装置の組付け時には、スクリュー軸に大径孔を潜らせてウォームホイールをケーシング内に装着した後、ケーシングを移動させて連結軸を小径孔に嵌め込んで減速装置を組付けるむことにより、減速装置が組付けられると、連結軸が小径孔に嵌入された状態にすることができる。従って、車両の衝突等によってシートを介してスクリュー軸に前方に向かう過大な荷重が加わったときには、ケーシングの小径孔の縁部がウォームホイールの金属製の小径部に干渉し、従来のように、スクリュー軸が大径孔を通ってケーシングを前方に突き抜け、これによってシートが前方に投げ出されるという不都合を解消することができる。
【００４８】
また、ウォームホイールが、金属製の芯ホイールと、この芯ホイールを同心で包囲した合成樹脂製のホイール本体とで形成されていても、芯ホイールの径寸法を小径孔の径寸法より大きく寸法設定しておくことにより、たとえ合成樹脂製のホイール本体が衝撃で破壊されても、金属製の芯ホイールに小径孔の縁部が干渉することによってケーシングの前方への移動を規制することができる。
【図面の簡単な説明】
【図１】本発明に係る車両用シートの減速装置の取付け構造が適用された車両用シートの一実施形態を示す一部切欠き部分斜視図である。
【図２】減速装置の一実施形態を示す分解斜視図である。
【図３】図２の減速装置の組立て斜視図である。
【図４】図３のＡ−Ａ線断面図である。
【図５】図３のＢ−Ｂ線断面図である。
【図６】従来の車両用シートの減速装置の取付け構造を例示する一部切欠き斜視図である。
【図７】（イ）および（ロ）は、図６に示す取付け構造の作用を説明する側面断面視の説明図である。
【符号の説明】
１  スライドレール
１１  ロアレール
１２  アッパーレール
２  減速装置
２１  ケーシング
２２  ウォーム
２３  ウォームホイール
４  スクリュー軸
４１  ねじ軸
６６  ホイール挿通孔
６２  遊嵌孔
【図１】
0004105287.tif 000002
【図２】
0004105287.tif 000003
【図３】
0004105287.tif 000004
【図４】
0004105287.tif 000005
【図５】
0004105287.tif 000006
【図６】
0004105287.tif 000007
【図７】
0004105287.tif 000008